(57)【要約】【課題】  従来から用いられているＴＮ型やＳＴＮ型のネマティック液晶の応答速度を高め、従来困難であった動画映像の表示や走査線の多い大容量表示などを可能にする、即ち、応答速度が速いネマティック液晶の駆動方法を提供する。【解決手段】  このネマティック液晶の駆動方法は、ネマティック液晶からなる液晶表示素子１４と、Ｒ管２２，Ｇ管２３およびＢ管２４からなるＲ，Ｇ，Ｂ３色の光源を有するバックライト２とを備えた液晶表示ディスプレイ１において、一映像色合成フレームを構成するＲ，Ｇ，Ｂの色フレーム毎に液晶表示素子１４を階調に応じてオン、オフ駆動するとともに、色フレームに同期してＲ管２２，Ｇ管２３およびＢ管２４のうち対応する色の光源を順次点灯することにより、色フレーム毎に所望の階調表示を行う。【選択図】      図２
2005025226.tif 000002
【特許請求の範囲】
【請求項１】
ネマティック液晶素子と、Ｒ，Ｇ，Ｂ３色の光源を有するバックライトとを備えたカラー液晶表示装置において、
一映像色合成フレームを構成するＲ，Ｇ，Ｂの色フレーム毎に前記ネマティック液晶素子を階調に応じてオン、オフ駆動するとともに、前記色フレームに同期して前記Ｒ，Ｇ，Ｂ３色の光源のうち対応する色の光源を順次点灯することにより、前記色フレーム毎に所望の階調表示を行うことを特徴とするネマティック液晶の駆動方法。
【発明の詳細な説明】
【技術分野】
【０００１】
本発明は液晶の駆動方法、殊にネマティック液晶の駆動方法に関するものである。
【背景技術】
【０００２】
ネマティック液晶の分子は多くが細長い分子でありそれらの長軸方向をそろえて配向しているが、電界を印加した場合、３つの弾性係数の大きさおよび相互の比率に従って変形を生じ、電界を取り去ると元の配向状態に回復する、という性質を有している。
【０００３】
そして、このような性質を有するネマティック液晶と偏光板とを組み合わせた液晶表示装置が知られている。
【発明の開示】
【発明が解決しようとする課題】
【０００４】
ところが、例えばＳＴＮ型の液晶表示素子の応答速度は２００〜３００ｍｓと遅く、動画映像を表示するにはコントラストが得られず困難であるばかりかコンピュータなどにおける文字表示においてもマウスの動作に追随できず、更に走査線の多い大容量表示を困難にする、などの問題がある。
【０００５】
本発明が解決しようとする課題は、従来から用いられているＴＮ型やＳＴＮ型のネマティック液晶の応答速度を高め、従来困難であった動画映像の表示や走査線の多い大容量表示などを可能にする、即ち、応答速度が速いネマティック液晶の駆動方法を提供するものである。
【課題を解決するための手段】
【０００６】
本発明は、上記目的を達成するため、ネマティック液晶素子と、Ｒ，Ｇ，Ｂ３色の光源を有するバックライトとを備えたカラー液晶表示装置において、一映像色合成フレームを構成するＲ，Ｇ，Ｂの色フレーム毎に前記ネマティック液晶素子を階調に応じてオン、オフ駆動するとともに、前記色フレームに同期して前記Ｒ，Ｇ，Ｂ３色の光源のうち対応する色の光源を順次点灯することにより、前記色フレーム毎に所望の階調表示を行うことを特徴とするネマティック液晶の駆動方法を提供する。
【０００７】
また、前記の課題を解決するためになされた本発明は、多数回の繰り返し電圧により印加を行うことを特徴とするものである。
【０００８】
多数回の繰り返し電圧により電圧印加を行うと、図１に示すようにオン信号とオフ信号の周期の時間間隔が短くなり、ネマティック液晶のオン・オフ動作での積分／微分動作の関係から優れた動作レスポンスを発揮する。
【０００９】
以上のように本発明は、ネマティック液晶素子に多数回の繰り返し電圧により印加を行うことによりオン信号とオフ信号における周期の時間間隔が短くなり、優れた動作レスポンスを発揮させることができる。
【００１０】
従って、例えば動画映像表示するためのカラー液晶表示装置のように従来ネマティック液晶素子を用いることが困難であった用途にネマティック液晶素子を用いることができるものである。
【発明の効果】
【００１１】
本発明によれば、従来から用いられているＴＮ型やＳＴＮ型のネマティック液晶の応答速度を高め、従来困難であった動画映像の表示や走査線の多い大容量表示などを可能にする、即ち、応答速度が速いネマティック液晶の駆動方法を提供することができる。
【発明を実施するための最良の形態】
【００１２】
次に本発明の実施例を比較例とともに表１に示す。
【００１３】
【表１】
2005025226.tif 000003
【００１４】
表１はＳＴＮ型のネマティック液晶素子に２５μＳ周期で電圧を繰り返し印加した場合（実施例１）および２５０μＳ周期で電圧を繰り返し印加した場合（実施例２）更に連続的に電圧を印加した場合（比較例）における０Ｎ・０ＦＦ応答時間の測定値を示したものであり、例えば、実施例１における０Ｎ・０ＦＦ応答時間は６ｍＳで比較例である従来の駆動方式の５０倍の速度で応答することが判る。
【００１５】
次に、本発明の利用例として、本発明をカラー液晶表示装置について用いた場合について説明する。
【００１６】
本発明を利用したカラー液晶表示装置は、図２に示すようにＴＮモード型の液晶表示ディスプレィ１と、Ｒ，Ｇ，Ｂ三色管からなるバックライト２と、これらの液晶表示ディスプレィ１とバックライト２とを制御する駆動回路（図示せず）とから構成される。
【００１７】
また、ＴＮモード型の液晶表示ディスプレィ１は従来一般に製造されている透過型のＴＮモード型の液晶表示ディスプレィと同様のものをそのまま使用することが可能であり、下層から順に偏光板１１，ガラス基板１２，電子回路１３，液晶表示素子１４および表面カバー１５を順に積層したものである。
【００１８】
バックライト２は、前記液晶表示ディスプレィ１における偏光板１１の下面に配置された導光板２１とこの一方の側面に配置されたＲ（レッド）管２２，Ｇ（グリーン）管２３，Ｂ（ブルー）管２４とから構成される。
【００１９】
そして、図３に示すように図示しない駆動回路により一映像色合成フレーム（例えば４０Ｈｚ程度の周期）毎に前記バックライトのＲ，Ｇ，Ｂ各管２２，２３，２４を等周期（例えば１２０Ｈｚ程度の周期）で順次点灯させるとともに、Ｒ，Ｇ，Ｂ各管２２，２３，２４の点灯周期（色フレーム）に対応させて所定ドット位置のＴＮモード型の液晶表示素子１４をオン、オフ駆動させたときに生じる視覚による残像現象により任意の色表示を得るものである。
【００２０】
そして、液晶表示素子１４の駆動を、本発明を用いて、例えば繰り返しの電圧印加（例えば４０ＫＨｚ（２５μＳ）程度の周期）により液晶表示素子の変化に対する積算の量を調整するように駆動させる。
【００２１】
このときのタイミングチャートを図４に示す。
【００２２】
図４に示したタイミングチャートにおいて１〜２５６枚の間で任意の階調を設定することができ、表示階調は図５に示すように、画像情報に、階調回数を持たせて、最小階調での繰り返し回数に、階調回数を掛けた回数だけ表示動作を行うことにより、液晶表示素子の変化に対する積算の量が、段階的に調整されて、変化量を調整することができる。
【００２３】
このように本発明である繰り返しの電圧印加を行うと、液晶表示素子１１のドット位置に対するオン信号とオフ信号の周期の時間間隔が短くなり、液晶表示素子のオン・オフ動作での積分／微分動作の関係から動作レスポンスに優れたオン動作（積分動作）を短い時間で多数回数、積算する表示をすることになり、前記Ｒ，Ｇ，Ｂ各管２２，２３，２４の点灯周期（色フレーム）毎に変化する表示情報に対応可能な液晶表示素子の動作速度が得られるものである。
【００２４】
また、液晶表示素子１１のオンからオフへの切り替わりにおいて色が混ざることを防止するために各サブフレームの間にＲ，Ｇ，Ｂ各管２２，２３，２４のいずれもが点灯しない時間を設けるとよい。
【００２５】
尚、この液晶表示装置は本発明の利用例を示したものであり、本発明が駆動時間の短縮を必要とする他の用途に用いることができることは云うまでもない。
【００２６】
また、本発明は前記実施例から判るように電圧印加の繰り返し周期を変化させることにより異なる０Ｎ・０ＦＦ応答時間を得ることが可能であり、繰り返し周期を選択することにより所望の０Ｎ・０ＦＦ応答時間を得ることが可能である。
【図面の簡単な説明】
【００２７】
【図１】本発明および従来例における液晶素子の動作状態を示す状態図である。
【図２】本発明を用いた液晶表示装置の概略図である。
【図３】図２に示した液晶表示装置におけるカラー表示の原理を示す説明図である。
【図４】図２に示した液晶表示装置における好ましいタイミングチャートである。
【図５】図４に示したタイミングチャートにおける表示階調の調整状態を示す説明図である。
【符号の説明】
【００２８】
１  液晶表示ディスプレィ
２  バックライト
１１  偏光板
１２  ガラス基板
１３  電子回路
１４  液晶表示素子
１５  表面カバー
２１  導光板
２２  Ｒ管
２３  Ｇ管
２４  Ｂ管
【図１】
2005025226.tif 000004
【図２】
2005025226.tif 000005
【図３】
2005025226.tif 000006
【図４】
2005025226.tif 000007
【図５】
2005025226.tif 000008